(57)【特許請求の範囲】
【請求項１】
デバイス間の直接通信(Ｄ２Ｄ：Ｄｅｖｉｃｅ  ｔｏ  Ｄｅｖｉｃｅ)サービスのためのデバイス情報を伝送するための方法であって、
第１領域内の第１トーンを通じて第１情報を伝送する過程と、
第２領域内の第２トーンを通じて前記第１情報を伝送する過程と、
第３領域内の多数のトーンを含むリソース領域を通じて第２情報を伝送する過程と、を含み、
前記第１情報は、デバイス情報のビットのうち第１部分を含み、
前記第２情報は、デバイス情報のビットのうち第２部分を含み、
前記第１トーンは、前記第１領域のｎ番目のシンボル及びｍ番目の副搬送波に位置し、
前記第２トーンは、前記第２領域のｍ番目のシンボル及びｎ番目の副搬送波に位置し、
前記第３領域内のリソース領域によって占有される少なくとも一つの副搬送波及び少なくとも一つのシンボルは、前記ｍ又は前記ｎのうち少なくとも一つに基づいて決定される方法。
【請求項２】
前記デバイス情報は、前記デバイスの識別情報、関心(ｉｎｔｅｒｅｓｔ)分野及び応用プログラム情報の少なくとも一つを含む請求項１に記載の方法。
【請求項３】
前記第１情報を伝送する過程は、
前記第１情報に基づいて、探索区間の前記第１領域内の前記多数のトーンのうち前記第１トーンを決定する過程と、
前記第１トーンを用いて前記第１情報を伝送する過程と、を含む請求項１に記載の方法。
【請求項４】
前記第２情報を伝送する過程は、
前記第３領域内のｍ番目のシンボルに属するトーンの集合又はｎ番目のシンボルに属するトーンの集合を通じて前記第２情報を伝送する過程を含む請求項１に記載の方法。
【請求項５】
前記第２情報を伝送する過程は、
前記第３領域内のｍ番目の副搬送波に属するトーンの集合又はｎ番目の副搬送波に属するトーンの集合を通じて前記第２情報を伝送する過程を含む請求項１に記載の方法。
【請求項６】
前記第２情報は、前記第１部分及び前記第２部分の結合により決定される前記デバイス情報を検証するための連結情報を含む請求項１に記載の方法。
【請求項７】
前記連結情報は、前記第１領域内の前記第１トーンのシンボル順序及び前記デバイス情報のＣＲＣ(Ｃｙｃｌｉｃ  Ｒｅｄｕｎｄａｎｃｙ  Ｃｈｅｃｋ)の少なくとも一つを含む請求項６に記載の方法。
【請求項８】
デバイス間の直接通信（Ｄ２Ｄ:Ｄｅｖｉｃｅ  ｔｏ  Ｄｅｖｉｃｅ）サービスのためのデバイス情報を受信するための方法であって、
第１領域内の第１トーンを通じて第１情報を受信する過程と、
第２領域内の第２トーンを通じて前記第１情報を受信する過程と、
第３領域内の多数のトーンを含むリソース領域を通じて第２情報を受信する過程と、を含み、
前記第１情報は、デバイス情報のビットのうち第１部分を含み、
前記第２情報は、デバイス情報のビットのうち第２部分を含み、
前記第１トーンは、前記第１領域のｎ番目のシンボル及びｍ番目の副搬送波に位置し、
前記第２トーンは、前記第２領域のｍ番目のシンボル及びｎ番目の副搬送波に位置し、
前記第３領域内のリソース領域によって占有される少なくとも一つの副搬送波及び少なくとも一つのシンボルは、前記ｍ又は前記ｎのうち少なくとも一つに基づいて決定される方法。
【請求項９】
前記第２情報及び前記第１情報を結合することにより他の装置のデバイス情報を決定する過程をさらに含む請求項８に記載の方法。
【請求項１０】
前記第２情報は、前記第１部分及び前記第２部分の結合により決定される前記デバイス情報を検証するための連結情報を含む請求項８に記載の方法。
【請求項１１】
前記連結情報は、前記第１領域内の前記第１トーンのシンボル順序及び前記デバイス情報のＣＲＣ（Ｃｙｃｌｉｃ  Ｒｅｄｕｎｄａｎｃｙ  Ｃｈｅｃｋ）の少なくとも一つを含む請求項１０に記載の方法。
【請求項１２】
前記ＣＲＣを用いて前記第１情報および前記第２情報を結合することにより生成されるデバイス情報の有効性を判断する過程をさらに含む請求項１１に記載の方法。
【請求項１３】
電子装置であって
第１領域内の第１トーンを通じて第１情報を伝送し、第２領域内の第２トーンを通じて前記第１情報を伝送し、第３領域内の多数のトーンを含むリソース領域を通じて第２情報を伝送する送信部を含み、
前記第１情報は、デバイス情報のビットのうち第１部分を含み、
前記第２情報は、デバイス情報のビットのうち第２部分を含み、
前記第１トーンは、前記第１領域のｎ番目のシンボル及びｍ番目の副搬送波に位置し、
前記第２トーンは、前記第２領域のｍ番目のシンボル及びｎ番目の副搬送波に位置し、
前記第３領域内のリソース領域によって占有される少なくとも一つの副搬送波及び少なくとも一つのシンボルは、前記ｍ又は前記ｎのうち少なくとも一つに基づいて決定される装置。
【請求項１４】
前記デバイス情報は、前記デバイスの識別情報、関心（ｉｎｔｅｒｅｓｔ）分野及び応用プログラム情報の少なくとも一つを含む請求項１３に記載の装置。
【請求項１５】
前記第１情報に基づいて、探索区間の前記第１領域内の前記多数のトーンのうち前記第１トーンを決定する制御部をさらに含む請求項１３に記載の装置。
【請求項１６】
前記送信部は、前記第３領域内のｍ番目のシンボルに属するトーンの集合又はｎ番目のシンボルに属するトーンの集合を通じて前記第２情報を伝送する請求項１３に記載の装置。
【請求項１７】
前記送信部は、前記第３領域内のｍ番目の副搬送波に属するトーンの集合又はｎ番目の副搬送波に属するトーンの集合を通じて前記第２情報を伝送する請求項１３に記載の装置。
【請求項１８】
前記第２情報は、前記第１部分及び前記第２部分の結合により決定される前記デバイス情報を検証するための連結情報を含む請求項１３に記載の装置。
【請求項１９】
前記連結情報は、前記第１領域内の前記第１トーンのシンボル順序及び前記デバイス情報のＣＲＣ（Ｃｙｃｌｉｃ  Ｒｅｄｕｎｄａｎｃｙ  Ｃｈｅｃｋ）の少なくとも一つを含む請求項１８に記載の装置。
【請求項２０】
電子装置であって、
第１領域内の第１トーンを通じて第１情報を受信し、第２領域内の第２トーンを通じて前記第１情報を受信し、第３領域内の多数のトーンを含むリソース領域を通じて第２情報を受信する受信部を含み、
前記第１情報は、デバイス情報のビットのうち第１部分を含み、
前記第２情報は、デバイス情報のビットのうち第２部分を含み、
前記第１トーンは、前記第１領域のｎ番目のシンボル及びｍ番目の副搬送波に位置し、
前記第２トーンは、前記第２領域のｍ番目のシンボル及びｎ番目の副搬送波に位置し、
前記第３領域内のリソース領域によって占有される少なくとも一つの副搬送波及び少なくとも一つのシンボルは、前記ｍ又は前記ｎのうち少なくとも一つに基づいて決定される装置。
【請求項２１】
前記第２情報及び前記第１情報を結合することにより他の装置のデバイス情報を決定する制御部をさらに含む請求項２０に記載の装置。
【請求項２２】
前記第２情報は、前記第１部分及び前記第２部分の結合により決定される前記デバイス情報を検証するための連結情報を含む請求項２０に記載の装置。
【請求項２３】
前記連結情報は、前記第１領域内の前記第１トーンのシンボル順序及び前記デバイス情報のＣＲＣ（Ｃｙｃｌｉｃ  Ｒｅｄｕｎｄａｎｃｙ  Ｃｈｅｃｋ）の少なくとも一つを含む請求項２２に記載の装置。
【請求項２４】
前記ＣＲＣを用いて前記第１情報及び前記第２情報を結合することにより生成されるデバイス情報の有効性を判断する制御部をさらに含む請求項２３に記載の装置。
【発明の詳細な説明】
【技術分野】
【０００１】
本発明は、通信システムに関し、特に、デバイス間の直接通信サービス(Ｄ２Ｄ：Ｄｅｖｉｃｅ  ｔｏ  Ｄｅｖｉｃｅ)を支援するための装置及び方法に関する。
【背景技術】
【０００２】
通信機器の使用者らは、望む情報を得たり、共有できるサービスを必要としている。スマートフォン及びタブレットＰＣは、無線通信システムを通じて様々な情報を獲得及び共有できる環境を提供する。しかし、無線通信システムは、通信インフラが構築された場合にのみ情報を獲得及び共有することができる。また、無線通信システムは、システムの複雑度や時間的な遅延によって、リアルタイム情報を効率的に提供するのに容易である。
【０００３】
(Ｄ２Ｄ：Ｄｅｖｉｃｅ  ｔｏ  Ｄｅｖｉｃｅ)サービスは、通信インフラのない空間でデバイス間の通信リンクを構成して使用者が望む情報を獲得及び共有することができる。
【０００４】
デバイスは、デバイス間の直接通信サービスを提供するために周辺デバイスとの同期を獲得する。デバイス間の直接通信サービスを支援するデバイスは、既定の時点及びリソースを用いて周辺デバイスを探索して周辺デバイスのデバイス情報を獲得する。前記デバイス情報は、デバイスの識別情報、デバイス使用者の関心分野(ｉｎｔｅｒｅｓｔ)及び応用プログラム情報などを含む。
【０００５】
上述のように、デバイスは既定の探索区間の間に既定のリソースを用いて周辺デバイスを探索する。すなわち、デバイスは探索区間の間に既定のリソースを通じて周辺デバイスが放送するデバイス情報を受信して周辺デバイスを探索する。デバイスは、周辺デバイスが自己を探索できるように探索区間の間に既定のリソースを通じて周辺デバイスにデバイス情報を放送する。
【０００６】
もし、デバイスの送信周波数と受信周波数が同一の場合、デバイスは同一の時点に信号の伝送及び受信を行なうことができない。これによって、デバイスは、探索区間の間に自己がデバイス情報を放送する場合、周辺デバイスが放送するデバイス情報を受信できない。
【発明の概要】
【課題を解決するための手段】
【０００７】
本発明は、上記問題点及び短所を解決するためのものであって、次の利点のうち少なくとも１つを提供する。したがって、本発明の実施例は、デバイス間の直接通信サービスを提供するための装置及び方法を提供する。
【０００８】
本発明の他の実施例は、デバイス間の直接通信を支援するシステムで周辺デバイスを探索するための装置及び方法を提供する。
【０００９】
本発明のさらに他の実施例は、デバイス間の直接通信サービスを支援するシステムで周辺デバイス探索によるオーバーヘッドを減らすための装置及び方法を提供する。
【００１０】
本発明の目的を達成するための本発明の見地によれば、デバイス間の直接通信サービスを支援するデバイスでデバイス情報を伝送するための方法が提供される。デバイス情報から第１情報と第２情報が決定される。探索区間の第１領域に含まれる多数のトーンのうち少なくとも一つの第１トーンを用いて前記第１情報が伝送される。前記第１トーンの副搬送波インデックスとシンボルインデックスを転置させて前記探索区間の第２領域で前記第１情報を伝送する少なくとも一つの第２トーンが決定される。前記第２トーンを通じて前記第１情報が伝送される。前記探索区間の第３領域で前記第１トーンに対応するリソース領域を通じて前記第２情報が伝送される。
【００１１】
本発明の他の見地によれば、デバイス間の直接通信サービスを支援するデバイスで周辺デバイスを探索するための方法が提供される。探索区間の第１領域及び第２領域で第１情報を伝送しないリソースを用いて少なくとも一つの周辺デバイスの第１情報が受信される。前記探索区間の第３領域で第２情報を伝送しないリソースを用いて少なくとも一つの周辺デバイスが伝送する第２情報が受信される。前記周辺デバイスから受信した第１情報と第２情報を結合することにより少なくとも一つの周辺デバイスのデバイス情報が決定される。
【００１２】
本発明のさらに他の見地によれば、周辺デバイスに信号を送信する送信部を含む電子装置が提供される。前記電子装置は、探索区間の第１領域に含まれる多数のトーンの少なくとも一つの第１トーンを用いてデバイス情報に含まれる第１情報を伝送し、前記第１トーンの副搬送波インデックスとシンボルインデックスを転置させて前記探索区間の第２領域で前記第１情報を伝送する少なくとも一つの第２トーンを通じて前記第１情報を伝送し、前記探索区間の第３領域で前記第１トーンに対応するリソース領域を通じてデバイス情報に含まれる第２情報を伝送するように制御する制御部をさらに含む。
【００１３】
本発明のさらに他の見地によれば、探索区間の第１領域及び第２領域で第１情報を伝送しないリソースを用いて少なくとも一つの周辺デバイスが伝送する第１情報を受信し、前記探索区間の第３領域で第２情報を伝送しないリソースを用いて少なくとも一つの周辺デバイスが伝送する第２情報を受信する受信部を含む電子装置が提供される。前記電子装置は、前記周辺デバイスから受信した第１情報と第２情報を結合して少なくとも一つの周辺デバイスのデバイス情報を確認する制御部をさらに含む。
【００１４】
本発明の実施形態による本発明の上記見地（ａｓｐｅｃｔ）及び他の見地、特徴、メリットは次の図面と共に説明される詳細な説明から明白に認識されるであろう。
【図面の簡単な説明】
【００１５】
【図１】本発明の実施例による周辺デバイスを探索するための探索区間を示す。
【図２】本発明の実施例による探索区間のトーン伝送区間の構成を示す。
【図３Ａ】本発明の実施例による探索区間のトーン伝送区間の構成を示す。
【図３Ｂ】本発明の実施例による探索区間のトーン伝送区間の構成を示す。
【図４】本発明の実施例によるデバイス情報を伝送するための手順を示す。
【図５】本発明の実施例による周辺デバイスを探索するための手順を示す。
【図６】本発明の他の実施例による周辺デバイスを探索するための手順を示す。
【図７】本発明によるデバイス間の直接通信を支援するデバイスのブロック構成を示す。
【発明を実施するための形態】
【００１６】
本発明の実施例は図面の参考と共に詳しく説明される。同一、または類似した構成要素は、互いに他の図面に示されていても同一、または類似した参照番号で指示される。発明の要旨を曖昧にすることを回避するため、当該技術分野で知られた構造又は手順についての詳細な説明は省略され得る。
【００１７】
本発明で機能を考慮して定義された以下使用される用語は、使用者及び実施者の意図によって異なりうる。したがって、前記用語は以下の説明の全般的な記載に基づいて定義されなければならないだろう。
【００１８】
本発明は、デバイス間の直接通信サービスを支援するシステムにおいて、周辺デバイスを探索するための技術について説明する。
【００１９】
以下の説明でデバイス間の直接通信サービスを支援するシステムのデバイスは、デバイス探索のために自己のデバイス情報をトーン(ｔｏｎｅ)に基づいて伝送する第１情報とシーケンス(ｓｅｑｕｅｎｃｙ)に基づいて伝送する第２情報に分けて伝送する。ここで、デバイス情報は、デバイスの識別情報、デバイス使用者の関心分野(ｉｎｔｅｒｅｓｔ)及び応用プログラム情報などを含む。
【００２０】
デバイス間の直接サービスを支援するシステムのデバイスは、下記図１に示すように探索区間を用いて周辺デバイスを探索する。
【００２１】
図１は、本発明の実施例による周辺デバイスを探索するための探索区間を示す。
【００２２】
図１に示すように、デバイス間の直接通信を支援するシステムはデバイス間の探索のための探索区間１００を設定する。すなわち、デバイス間の直接通信を支援するデバイスは、探索区間１００の間に周辺デバイスを探索する。前記探索区間１００の間にデバイス間の直接通信を支援するデバイスは、周辺デバイスが自己のデバイス情報を探索するように自己のデバイス情報を伝送する。前記探索区間１００は一定周期で存在する。
【００２３】
前記探索区間１００は第１トーン伝送区間１０２と、第２トーン伝送区間１０４と、シーケンス伝送区間１０６と、を含む。
【００２４】
デバイスは、第１トーン伝送区間１０２の間に自己のデバイス情報の一部分である第１情報を第１トーン伝送区間１０２に含まれる特定のトーンを用いて伝送する。この時、第１トーン伝送区間１０２に含まれる各トーンは、各デバイスの第１情報と一対一でマッピングされる。例えば、第１トーン伝送区間１０２が図２に示すように、Ｘ個の副搬送波とＹ個のシンボルから構成された場合、デバイスは自己のデバイス情報からＭビット(ｌｏｇ２(Ｘ×Ｙ))の第１情報を抽出する。以後、デバイスは第１情報にマッピングされた第１トーン伝送区間１０２のいずれかのトーンを用いてＭビットの第１情報を放送する。ここで、デバイスの第１情報とトーンのマッピング情報は、デバイスの識別情報又はＭビットによるトーンインデックスを考慮して決定されうる。
【００２５】
デバイスは、第２トーン伝送区間１０４の間に自己のデバイス情報の一部分である第１情報を第２トーン伝送区間１０４に含まれる特定のトーンを用いて伝送する。この時、デバイスは、第１トーン伝送区間１０２で第１情報を伝送したトーンのリソースインデックスを転置(ｔｒａｎｓｐｏｓｅ)して第２トーン伝送区間１０４で第１情報を伝送するトーンを決定する。例えば、図２に示すように、第１デバイスが第１トーン伝送区間１０２で１番目の副搬送波及び３番目のシンボルから構成されたトーン２００を用いて第１情報を伝送する場合、第１デバイスは第２トーン伝送区間１０４で３番目の副搬送波及び１番目のシンボルから構成されたトーン２１０を用いて第１情報を伝送する。第１トーン伝送区間１０２を構成する副搬送波の個数とシンボルの個数が異なる場合、第１トーン伝送区間１０２と第２トーン伝送区間１０４を構成するシンボルの個数が異なりうる。デバイスが第１トーン伝送区間１０２の間に伝送する第１情報と第２トーン伝送区間１０４の間に伝送する第１情報は同一である。
【００２６】
デバイスは、シーケンス伝送区間１０６の間に自己のデバイス情報に含まれる第２情報を伝送する。この時、デバイスは第１トーン伝送区間１０２で第１情報を伝送するのに使用したトーンのインデックス順序に対応するシーケンス伝送区間１０６の少なくとも一つのシンボルを用いて第２情報を伝送する。例えば、第１トーン伝送区間１０２は、図３Ａに示すようにシンボルの方向を優先的にトーンインデックスを割り当てることができる。もし、第１デバイスが１番目の副搬送波及び３番目のシンボルから構成された３番トーンを用いて第１情報を伝送する場合、第１デバイスは、シーケンス伝送区間１０６で３番目のシンボル領域を用いて第２情報を伝送する。
【００２７】
他の例として、第１トーン伝送区間１０２は、図３Ｂに示すように副搬送波方向を優先的にトーンインデックスを割り当てることができる。もし、第２デバイスが３番目の副搬送波及び１番目のシンボルから構成された３番トーンを用いて第１情報を伝送する場合、第２デバイスはシーケンス伝送区間１０６で３番目のシンボル領域を用いて第２情報を伝送する。
【００２８】
この時、デバイスは第２情報のシーケンスの長さによってシーケンス伝送区間１０６で多数のシンボルを用いることができる。また、デバイスは第２情報の量によって全体のシーケンスを使用したり、部分シーケンスを使用して第２情報を伝送することができる。ここで、シンボル領域は少なくとも一つのシンボルを含む。
【００２９】
シーケンス伝送区間１０６のシンボルと第１トーン伝送区間１０２のトーンは、一対一または一対多でマッピングされる。すなわち、第１トーン伝送区間１０２の間に５番トーンを用いて第１情報を伝送したデバイスは、シーケンス伝送区間１０６で５番目のシンボル領域を用いて第２情報を伝送する。この時、シーケンス伝送区間１０６のシンボル(例:５番目のシンボル領域)は、第１トーン伝送区間１０２で第１情報を伝送したトーン(例:５番トーン)と一対一または一対多でマッピングされうる。例えば、第１トーン伝送区間１０２の間に１番トーン、５番トーン、及び７番トーンのみを通じて第１情報が伝送された場合、１番トーンを通じて第１情報を伝送したデバイスは、シーケンス伝送区間１０６の１番目のシンボル領域を用いて第２情報を伝送する。また、５番トーンを通じて第１情報を伝送したデバイスは、シーケンス伝送区間１０６の２番目のシンボル領域を用いて第２情報を伝送し、７番トーンを通じて第１情報を伝送したデバイスはシーケンス伝送区間１０６の３番目のシンボル領域を用いて第２情報を伝送する。ここで、１番目のシンボル領域と２番目のシンボル領域、及び３番目のシンボル領域は連続的に位置したり、一定の間隔で離隔されうる。
【００３０】
上述のように、トーン伝送区間(１０２及び１０４)に含まれる各トーンと各デバイスの第１情報は一対一でマッピングされる。この時、第１トーン伝送区間１０２に含まれる各々のトーンにマッピングされるデバイスの第１情報は時間によって異なりうる。また、デバイスの第１情報はトーン伝送区間(１０２及び１０４)に含まれるトーンと一対多でマッピングされうる。すなわち、一つの第１情報は多数のトーンにマッピングされうる。
【００３１】
上述のように、デバイスは第１トーン伝送区間１０２で第１情報を伝送するのに使用したトーンのインデックスの順序に対応するシーケンス伝送区間１０６の少なくとも一つのシンボルを用いて第２情報を伝送する。これによって、シーケンス伝送区間１０６は、最小限第１トーン伝送区間１０２に含まれるトーンの個数と同一の個数のシンボルを含む。追加的に、デバイスは第１情報と第２情報の連結情報を前記第２情報に追加して伝送することもできる。例えば、デバイスは、デバイス情報に対するＣＲＣ(Ｃｙｃｌｉｃ  Ｒｅｄｕｎｄａｎｃｙ  Ｃｈｅｃｋ)を第１情報と第２情報の連結情報として使用することができる。具体的に、第１デバイスは自己のデバイス情報に対するＣＲＣを含むＮビットのデバイス情報を生成する。以後、デバイスはＮビットのうちＭビットの第１情報を第１トーン伝送区間１０２及び第２トーン伝送区間１０４を通じて伝送し、残りのＮ−Ｍビットの第２情報をシーケンス伝送区間１０６を通じて伝送する。これによって、第２デバイスは、第１トーン伝送区間１０２及び第２トーン伝送区間１０４を通じて受信した第１情報とシーケンス伝送区間１０６を通じて受信した第２情報のＣＲＣを用いて受信したデバイス情報の有効性を検証することができる。この時、デバイス情報に追加するＣＲＣは既定の長さで構成されなければならない。
【００３２】
上述のように、デバイスは、第１トーン伝送区間１０２と第２トーン伝送区間１０４で第１情報を伝送するリソースを転置(ｔｒａｎｓｐｏｓｅ)することにより、第１トーン伝送区間１０２で第１情報を伝送したシンボルと、第２トーン伝送区間１０４で第１情報を伝送するシンボルとを異なるようにする。これによって、デバイスは周辺に位置する全てのデバイスに対するデバイス情報を探索することができる。例えば、図１の第１トーン伝送区間１０２の間、第１デバイスは１番目の副搬送波及び１番目のシンボルから構成されたトーンを用いて第１情報を伝送し、第２デバイスは２番目の副搬送波及び１番目のシンボルから構成されたトーンを用いて第１情報を伝送し、第３デバイスは３番目の副搬送波及び１番目のシンボルから構成されたトーンを用いて第１情報を伝送する。第２トーン伝送区間１０４では転置を通じて第１デバイスは１番目の副搬送波及び１番目のシンボルから構成されたトーンを用いて第１情報を伝送し、第２デバイスは１番目の副搬送波及び２番目のシンボルから構成されたトーンを用いて第１情報を伝送し、第３デバイスは１番目の副搬送波及び３番目のシンボルから構成されたトーンを用いて第１情報を伝送するようにする。これによって、第１デバイスは第２トーン伝送区間１０４の２番目のシンボルと３番目のシンボルを通じて受信することができる。第１デバイスが第１トーン伝送区間１０２の１番目のシンボルで第１情報を伝送するため、第１デバイスは第２デバイスと第３デバイスの第１情報を第１トーン伝送区間１０２の1番目シンボルを通じて受信できない。
【００３３】
図４は、本発明の実施例によるデバイス情報を伝送するための手順を示す。
【００３４】
図４を参照すると、デバイスはステップ４０１で自己のデバイス情報のうちトーンに基づいて伝送する第１情報を確認する。例えば、デバイスはＮビットのデバイス情報のうちトーンに基づいて伝送するＭビットの第１情報を抽出する。この時、ＭはＮよりも小さい。
【００３５】
第１情報を抽出した後、デバイスはステップ４０３に進み、ステップ４０１で抽出した第１情報を伝送する第１トーン伝送区間のトーンを確認する。例えば、第１トーン伝送区間に含まれる各トーンとデバイス間の直接通信サービスを支援する各デバイスの第１情報は一対一でマッピングされる。これによって、デバイスは第１トーン伝送区間のトーンのうち第１情報にマッピングされたいずれかのトーンを確認する。ここで、デバイスの第１情報とトーンのマッピング情報は、デバイスの識別情報又はＭビットによるトーンインデックスを考慮して決定されうる。
【００３６】
以後、デバイスはステップ４０５に進み、ステップ４０３で確認した第１トーン伝送区間のトーンを通じて第１情報を伝送する。例えば、デバイスは第１情報を図２に示す第１トーン伝送区間１０２の１番目の副搬送波及び３番目のシンボルから構成されたトーン２００を通じて放送する。
【００３７】
第１トーン伝送区間を通じて第１情報を伝送した後、デバイスはステップ４０７に進み、第２トーン伝送区間で第１情報を伝送するトーンを確認する。この時、デバイスは第１トーン伝送区間で第１情報を伝送したトーンのリソースインデックスを転置(ｔｒａｎｓｐｏｓｅ)して第２トーン伝送区間で第１情報を伝送するトーンを決定する。例えば、デバイスが図２に示す第１トーン伝送区間１０２の１番目の副搬送波及び３番目のシンボルから構成されたトーン２００を用いて第１情報を伝送する場合、デバイスは第２トーン伝送区間１０４で３番目の副搬送波及び１番目のシンボルから構成されたトーン２１０を第１情報を伝送するためのトーンに決定する。
【００３８】
以後、デバイスはステップ４０９に進み、第２トーンに基づく伝送区間のトーンを通じて第１情報を伝送する。ここで、デバイスが第１トーン伝送区間の間に伝送する第１情報と第２トーン伝送区間の間に伝送する第１情報とは同一である。
【００３９】
第２トーン伝送区間を通じて第１情報を伝送した後、デバイスはステップ４１１に進み、第１トーン伝送区間１０２を通じて第１情報を使用したトーンに基づいてシーケンス伝送区間で第２情報を伝送するシンボル領域を確認する。例えば、第１トーン伝送区間１０２が図３Ａに示すようにシンボル方向でトーンインデックスを割り当てる場合、デバイスは、第１トーン伝送区間１０２の１番目の副搬送波及び３番目のシンボルから構成された３番トーンを用いて第１情報を伝送することができる。この場合、デバイスはシーケンス伝送区間１０６で３番トーンに対応する３番目のシンボル領域を第２情報を伝送する領域として認識する。他の例として、第１トーン伝送区間１０２が図３Ｂに示すように、副搬送波方向にトーンインデックスを割り当てる場合、デバイスは第１トーン伝送区間１０２の３番目の副搬送波及び１番目のシンボルから構成された３番トーンを用いて第１情報を伝送することができる。この場合、デバイスはシーケンス伝送区間１０６で３番トーンに対応する３番目のシンボル領域を第２情報を伝送する領域として認識する。第２情報は、デバイスのデバイス情報で第１情報を除いた残りの部分を含む。また、シンボル領域は第２情報を伝送するための少なくとも一つのシンボルを含む。
【００４０】
第２情報を伝送するシンボル領域を確認した後、デバイスはステップ４１３に進み、確認されたシンボル領域を通じて第２情報を伝送する。この時、デバイスは、チャネルコーディングを通じてシーケンスに基づいて伝送する第２情報の伝送距離がトーンに基づいて伝送した第１情報の伝送距離より短くならない。また、デバイスは第２情報の量によって全体のシーケンスを使用したり、部分シーケンスを使用して第２情報を伝送することができる。前記図４の手順は、前記ステップ４１３の以後、終了される。
【００４１】
上述の本発明の実施例において、デバイスは第１トーン伝送区間１０２で第１情報を伝送するのに使用したトーンのインデックス順序に対応するシーケンス伝送区間１０６の少なくとも一つのシンボルを第２情報を伝送するためのシンボル領域に決定する。多数のデバイスが同一の第１情報を持つ場合、デバイスはシーケンス伝送区間１０６で同一のシンボル領域を使用して第２情報を伝送することができる。これによって、各デバイスは第１情報と第２情報の連結情報を追加的に伝送することもできる。例えば、デバイスは、デバイス情報に対するＣＲＣを第１情報と第２情報の連結情報として使用することができる。具体的に、第１デバイスは自己のデバイス情報に対するＣＲＣを含むＮビットのデバイス情報を生成する。以後、デバイスはＮビットのうちＭビットの第１情報を第１トーン伝送区間１０２及び第２トーン伝送区間１０４を通じて伝送し、残りのＮ−Ｍビットの第２情報をシーケンス伝送区間１０６を通じて伝送する。これによって、第２デバイスは第１トーン伝送区間１０２及び第２トーン伝送区間１０４を通じて受信した第１情報とシーケンス伝送区間１０６を通じて受信した第２情報のＣＲＣを用いてデバイス情報の有効性を検証することができる。デバイス情報に追加するＣＲＣは既定の長さで構成されなければならない。
【００４２】
図５は、本発明の実施例による周辺デバイスを探索するための手順を示す。
【００４３】
図５を参照すると、ディバイスはステップ５０１に進み、探索区間が到来するか確認する。
【００４４】
探索区間ではない場合、手順は終了する。すなわち、デバイスは探索区間の間に周辺デバイス探索を行う。
【００４５】
探索区間が到来した場合、デバイスはステップ５０３に進み、第１トーン伝送区間の間に自己の第１情報を伝送しないシンボルの間、周辺デバイスが伝送する第１情報を受信する。
【００４６】
以後、デバイスはステップ５０５に進み、第２トーン伝送区間の間に自己の第１情報を伝送しないシンボルの間、周辺デバイスが伝送する第１情報を受信する。
【００４７】
以後、デバイスはステップ５０７に進み、通信を行なうことができる少なくとも一つの周辺デバイスが存在するか判断する。すなわち、デバイスは第１トーン伝送区間及び第２トーン伝送区間を通して受信された第１情報が存在するか確認する。
【００４８】
通信を行なうことができる周辺デバイスが存在しない場合、この手順は終了する。
【００４９】
一方、通信を行なうことができる周辺デバイスが存在する場合、デバイスはステップ５０９に進み、シーケンス伝送区間の間に自己の第２情報を伝送しないシンボルを通じて周辺デバイスが伝送する第２情報を受信する。
【００５０】
以後、デバイスはステップ５１１に進み、第１情報と第２情報を結合して少なくとも一つの周辺デバイスのデバイス情報を確認する。例えば、周辺デバイスは第１トーン伝送区間で第１情報を伝送するのに使用したトーンに対応するシンボル領域を用いて第２情報を伝送する。これによって、デバイスは第１情報を受信したトーンに対応するシンボル領域を通じて周辺デバイスから第２情報を受信する。他の実施例によって、周辺デバイスは第１トーン伝送区間で第１情報を伝送するのに使用したトーンの副搬送波と同一の副搬送波を用いて第２情報を伝送することもできる。これによって、デバイスは第１情報を受信したトーンの副搬送波と同一の副搬送波を通じて周辺デバイスの第２情報を確認する。この手順は前記ステップ５１１の以後、終了する。
【００５１】
多数の周辺デバイスが探索された場合、デバイスは各周辺デバイスのデバイス情報に基づいて通信リンクを連結した少なくとも一つのデバイスを選択することもできる。
【００５２】
上述の本発明の実施例において、デバイスは第１情報を受信したトーンのインデックスに対応するシンボル領域またはトーンの副搬送波と同一の副搬送波を通じて受信した第２情報を結合してデバイス情報を確認する。
【００５３】
本発明の他の実施例において、デバイスは下記図６に示すように、第２情報とともに受信された連結情報を用いて第１情報と第２情報を結合してデバイス情報を確認することもできる。
【００５４】
図６は、本発明の他の実施例による周辺デバイスを探索するための手順を示す。
【００５５】
図６を参照すると、デバイスはステップ６０１に進み、探索区間が到来するか確認する。
【００５６】
探索区間ではない場合、この手順は終了する。すなわち、デバイスは探索区間の間に周辺デバイス探索を行う。
【００５７】
探索区間が到来した場合、デバイスはステップ６０３に進み、第１トーン伝送区間の間に自己の第１情報を伝送しないシンボルの間、周辺デバイスが伝送する第１情報を受信する。
【００５８】
以後、デバイスは、ステップ６０５に進み、第２トーン伝送区間の間に自己の第１情報を伝送しないシンボルの間、周辺デバイスが伝送する第１情報を受信する。
【００５９】
以後、デバイスはステップ６０７に進み、通信を行なうことができる周辺デバイスが存在するか判断する。すなわち、デバイスは第１トーン伝送区間及び第２トーン伝送区間を通して受信された第１情報が存在するか確認する。
【００６０】
通信を行なうことができる周辺デバイスが存在しない場合、図６の手順は終了する。
【００６１】
通信を行なうことができる周辺デバイスが存在する場合、デバイスはステップ６０９に進み、シーケンス伝送区間の間に自己の第２情報を伝送しないシンボルを通じて周辺デバイスが伝送する第２情報を受信する。
【００６２】
以後、デバイスは、ステップ６１１に進み、シーケンス伝送区間を通じて第２情報とともに受信された第１情報と第２情報の連結情報を確認する。ここで、連結情報は、第１トーン伝送区間で第１情報を受信したトーンのシンボル順序情報を含む。
【００６３】
第１情報と第２情報の連結情報を確認した後、デバイスはステップ６１３に進み、第１情報と第２情報の連結情報によって第１情報と第２情報を結合して少なくとも一つの周辺デバイスのデバイス情報を確認する。例えば、デバイス情報のＣＲＣを第１情報と第２情報の連結情報として使用する場合、デバイスは第１情報と第２情報のＣＲＣを用いて第１情報と第２情報から構成されるデバイス情報の有効性を検証する。この時、デバイスは有効性が検証されたデバイス情報を周辺デバイスのデバイス情報として認識する。図６の手順は、前記ステップ６１３の以後、終了する。
【００６４】
多数の周辺デバイスが探索された場合、デバイスは各周辺デバイスのデバイス情報に基づいて通信リンクを連結した少なくとも一つのデバイスを選択することもできる。
【００６５】
図７は、本発明によるデバイス間の直接通信を支援するデバイスのブロック構成を示す。
【００６６】
図７に示すように、デバイスはデュプレクサ７００と、制御部７１０と、デバイス情報確認部７１２と、送信部７２０と、受信部７３０と、を含んで構成される。
【００６７】
デュプレクサ７００は、デュプレクシング方式によって送信部７２０から提供された送信信号をアンテナを通じて送信し、アンテナからの受信信号を受信部７３０に提供する。
【００６８】
制御部７１０は、デバイスの全般的な動作を制御する。具体的に、制御部７１０は探索区間の間、周辺デバイスを探索するように制御する。
【００６９】
制御部７１０は、図４に示すように探索区間の間に自己のデバイス情報を伝送するように制御する。この時、制御部７１０は探索区間の間に自己のデバイス情報をトーンに基づいて伝送する第１情報とシーケンスに基づいて伝送する第２情報とに分けて伝送するように制御する。
【００７０】
トーンに基づいて第１情報を伝送する場合、制御部７１０は第１トーン伝送区間の間、第１情報にマッピングされたトーンを通じて第１情報を伝送するように制御する。以後、制御部７１０は、第１トーン伝送区間で第１情報を伝送したトーンのリソースインデックスを転置(ｔｒａｎｓｐｏｓｅ)して決めた第２トーン伝送区間のトーンを通じて第１情報を伝送するように制御する。例えば、図２に示すように、デバイスが第１トーン伝送区間１０２で１番目の副搬送波及び３番目のシンボルから構成されたトーン２００を用いて第１情報を伝送する場合、制御部７１０は第２トーン伝送区間１０４で３番目の副搬送波及び１番目のシンボルから構成されたトーン２１０を用いて第１情報を伝送するように制御する。
【００７１】
シーケンスに基づいて伝送する第２情報を伝送する場合、制御部７１０は第１トーン伝送区間で第１情報を伝送するのに使用したトーン情報に基づいて決めたシーケンス伝送区間の第２情報伝送領域を通じて第２情報を伝送するように制御する。例えば、制御部７１０は第１トーン伝送区間で第１情報を伝送するのに使用したトーンのインデックス順序に対応するシーケンス伝送区間のシンボル領域を用いて第２情報を伝送するように制御する。具体的に、第１トーン伝送区間１０２は、図３Ａに示すように、シンボル方向にトーンインデックスを割り当てる。もし、デバイスが１番目の副搬送波及び３番目のシンボルから構成された３番トーンを用いて第１情報を伝送する場合、制御部７１０はシーケンス伝送区間１０６で３番目のシンボル領域を用いて第２情報を伝送するように制御する。一方、第１トーン伝送区間１０２は、図３Ｂに示すように、副搬送波方向にトーンインデックスを割り当てることもできる。もし、デバイスが３番目の副搬送波及び１番目のシンボルから構成された３番トーンを用いて第１情報を伝送する場合、制御部７１０はシーケンス伝送区間１０６で３番目のシンボル領域を用いて第２情報を伝送するように制御する。他の例として、制御部７１０は第１トーン伝送区間で第１情報を伝送するのに使用したトーンの副搬送波と同一の副搬送波を用いて第２情報を伝送することもできる。
【００７２】
また、制御部７１０は図５または図６に示すように、探索区間の間に自己のデバイス情報を伝送しないリソースを用いて周辺デバイスのデバイス情報を受信するように制御する。
【００７３】
デバイス情報確認部７１２は、制御部７１０の制御によって探索された周辺デバイスのデバイス情報を構成する。例えば、デバイス情報確認部７１２は、第１情報を受信したトーンのトーンインデックスに対応するシンボル領域を確認する。以後、デバイス情報確認部７１２は、該当シンボル領域を通じて受信した第２情報と第１情報を結合して周辺デバイスのデバイス情報を確認する。他の例として、デバイス情報確認部７１２は、シーケンス伝送区間を通じて第２情報とともに受信された第１情報と第２情報の連結情報を確認する。以後、デバイス情報確認部７１２は、第１情報と第２情報の連結情報によって第１情報と第２情報を結合して少なくとも一つの周辺デバイスのデバイス情報を確認することもできる。ここで、連結情報は、第１トーン伝送区間で第１情報を受信したトーンのシンボル順序情報または、デバイス情報のＣＲＣ情報を含む。
【００７４】
送信部７２０は、周辺デバイスに伝送するデータ及び制御メッセージをデュプレクサ７００に伝送する。例えば、送信部７２０はメッセージ生成部７２２と送信モデム７２４とを含んで構成される。
【００７５】
メッセージ生成部７２２は、制御部７１０の制御によって周辺デバイスに伝送する制御メッセージを生成する。例えば、メッセージ生成部７２２は、トーンに基づいて伝送する第１情報とシーケンスに基づいて伝送する第２情報を生成する。この時、メッセージ生成部７２２は、第２情報とともに伝送する第１情報と第２情報に対する連結情報を生成することもできる。ここで、連結情報は、第１トーン伝送区間で第１情報を受信したトーンのシンボル順序情報又はデバイス情報のＣＲＣ情報を含む。
【００７６】
送信モデム７２４は、周辺デバイスに伝送するデータ、及びメッセージの生成部７２２で生成した制御メッセージをリソースを通じて伝送するように変換してデュプレクサ７００に伝送する。
【００７７】
受信部７３０は、デュプレクサ７００から周辺デバイスが伝送したデータ及び制御メッセージを受信する。例えば、受信部７３０は、受信モデム７３２とメッセージ処理部７３４を含んで構成される。
【００７８】
受信モデム７３２は、デュプレクサ７００から提供された周辺デバイスに伝送したデータ及び制御メッセージを基底帯域のデジタル信号に変換する。
【００７９】
メッセージ処理部７３４は、受信モデム７３２から提供された制御メッセージを分析し、周辺デバイスの第１情報と第２情報を抽出し、制御部７１０に伝送する。
【００８０】
図７を参照して説明した構成において、制御部７１０はプロトコル制御部であって、デバイス情報確認部７１２の機能を遂行することができる。本発明でこれを別途で構成したことは、各機能を区別して説明するためである。したがって、実際に具現する場合、これら全部又は一部を制御部７１０で処理するように構成することができる。
【００８１】
上述のように、デバイス間の直接通信サービスを支援するシステムのデバイスで自己のデバイス情報のうち一部のみをトーン単位で繰り返して伝送することにより、周辺デバイス探索によるオーバーヘッドを減らすことができるメリットがある。
【００８２】
また、デバイスでデバイス情報のうち一部のみをトーン単位で繰り返して伝送する場合、トーンとデバイス情報のマッピングを転置(ｔｒａｎｓｐｏｓｅ)して繰り返して伝送することにより、周辺でデバイス情報を伝送する全てのデバイスを探索することができるメリットがある。
【００８３】
適切な実施形態に対する参照とともに発明が説明された。しかし、当業者にとって、下記特許請求の範囲によって定義される発明の範囲から逸脱しない限度内で形態及び具体的な内容の多様な変化が可能であることは自明であると言える。
【符号の説明】
【００８４】
７００  デュプレクサ
７１０  制御部
７１２  デバイス情報確認部
７２２  メッセージ生成部
７２４  送信モデム
７３２  受信モデム
７３４  メッセージ処理部
【図１】
0005960821.tif 000002
【図２】
0005960821.tif 000003
【図３Ａ】
0005960821.tif 000004
【図３Ｂ】
0005960821.tif 000005
【図４】
0005960821.tif 000006
【図５】
0005960821.tif 000007
【図６】
0005960821.tif 000008
【図７】
0005960821.tif 000009